【手続補正書】
【提出日】平成17年6月10日(2005.6.10)
【手続補正１】
【補正対象書類名】明細書
【補正対象項目名】発明の名称
【補正方法】変更
【補正の内容】
【発明の名称】ネットワーク構築方法、通信システムおよび通信装置
【手続補正２】
【補正対象書類名】明細書
【補正対象項目名】特許請求の範囲
【補正方法】変更
【補正の内容】
【特許請求の範囲】
【請求項１】
アクセスポイント装置とクライアント端末との間で、認証プロセスを必要としない第１の暗号化通信による無線通信のリンクを確立する第１のリンク確立ステップと、
前記第１の暗号化通信による無線リンクが確立した状態で、前記アクセスポイント装置から前記クライアント端末に認証用データを送付する送付ステップと、
前記送付ステップにおいて前記認証用データを送付した後、前記第１の暗号化通信による無線リンクを破棄するリンク破棄ステップと、
前記リンク破棄ステップによるリンク破棄後、前記クライアント端末に送付された認証用データを用いる認証プロセスを必要とする第２の暗号化通信による無線通信のリンクを確立する第２のリンク確立ステップとを有することを特徴とするネットワーク構築方法。
【請求項２】
他の通信装置との間で、認証プロセスを必要としない第１の暗号化通信による無線通信のリンクを確立する第１のリンク確立ステップと、
前記第１のリンク確立ステップによる無線リンクが確立した状態で、前記他の通信装置に認証用データを送付する送付ステップと、
前記送付ステップにおいて前記認証用データを送付した後、前記第１のリンク確立ステップにおいて確立した無線リンクを破棄するリンク破棄ステップと、
前記リンク破棄ステップによるリンク破棄後、前記他の通信装置に送付した認証用データを用いる認証プロセスを必要とする第２の暗号化通信による無線通信のリンクを確立するための処理に移行する第２のリンク確立ステップとを有することを特徴とする通信装置のネットワーク構築方法。
【請求項３】
前記第１のリンク確立ステップにおいてリンクを確立した他の通信装置のうち、前記第２の暗号化通信を許可する通信装置を選択する選択ステップを有し、
前記送付ステップは、前記選択ステップにおいて選択された通信装置に対して前記認証用データを送付することを特徴とする請求項２記載の通信装置のネットワーク構築方法。
【請求項４】
前記選択ステップは、ユーザ操作に基づいて前記選択を行うことを特徴とする請求項３記載の通信装置のネットワーク構築方法。
【請求項５】
前記第１のリンク確立ステップにおいてリンクを確立した他の通信装置のうち、前記第２の暗号化通信を許可する通信装置を選択する選択ステップと、
前記選択ステップにおける選択に基づいて、アドレスフィルタリング設定を行うフィルタ設定ステップとを有することを特徴とする請求項２記載の通信装置のネットワーク構築方法。
【請求項６】
前記第２のリンク確立ステップは、前記認証プロセスによる認証結果に応じて、前記第２の暗号化通信による無線通信のリンクを確立することを特徴とする請求項２記載の通信装置のネットワーク構築方法。
【請求項７】
前記認証プロセスにおける認証は、前記通信装置が行うことを特徴とする請求項２記載の通信装置のネットワーク構築方法。
【請求項８】
前記送付ステップで送付される認証用データを生成する生成ステップを有することを特徴とする請求項２記載の通信装置のネットワーク構築方法。
【請求項９】
前記通信装置はアクセスポイントであることを特徴とする請求項２記載の通信装置のネットワーク構築方法。
【請求項１０】
前記送付ステップにおいて送付した前記認証用データは、一定期間有効であることを特徴とする請求項２記載の通信装置のネットワーク構築方法。
【請求項１１】
他の通信装置との間で、認証プロセスを必要としない第１の暗号化通信による無線通信のリンクを確立する第１のリンク確立ステップと、
前記第１のリンク確立ステップによる無線リンクが確立した状態で、前記他の通信装置から認証用データを受信する受信ステップと、
前記受信ステップにおいて前記認証用データを受信した後、前記第１のリンク確立ステップにおいて確立した無線リンクを破棄するリンク破棄ステップと、
前記リンク破棄ステップによるリンク破棄後、前記他の通信装置から受信した認証用データを用いる認証プロセスを必要とする第２の暗号化通信による無線通信のリンクを確立するための処理に移行する第２のリンク確立ステップとを有することを特徴とする通信装置のネットワーク構築方法。
【請求項１２】
前記認証プロセスにおける認証は、前記他の通信装置が行うことを特徴とする請求項１１記載の通信装置のネットワーク構築方法。
【請求項１３】
アクセスポイント装置とクライアント端末との間で、認証プロセスを必要としない第１の暗号化通信による無線通信のリンクを確立する第１のリンク確立手段と、
前記第１の暗号化通信による無線リンクが確立した状態で、前記アクセスポイント装置から前記クライアント端末に認証用データを送付する送付手段と、
前記送付手段により前記認証用データを送付した後、前記第１の暗号化通信による無線リンクを破棄するリンク破棄手段と、
前記リンク破棄手段により前記リンクを破棄した後、前記クライアント端末に送付した認証用データを用いる認証プロセスを必要とする第２の暗号化通信による無線通信のリンクを確立する第２のリンク確立手段とを備えた通信システム。
【請求項１４】
他の通信装置との間で、認証プロセスを必要としない第１の暗号化通信による無線通信のリンクを確立する第１のリンク確立手段と、
前記第１のリンク確立手段により無線リンクが確立した状態で、前記他の通信装置に認証用データを送付する送付手段と、
前記送付手段により前記認証用データを送付した後、前記第１のリンク確立手段において確立した無線リンクを破棄するリンク破棄手段と、
前記リンク破棄手段によるリンク破棄後、前記他の通信装置に送付した認証用データを用いる認証プロセスを必要とする第２の暗号化通信による無線通信のリンクを確立するための処理に移行する第２のリンク確立手段とを備えた通信装置。
【請求項１５】
他の通信装置との間で、認証プロセスを必要としない第１の暗号化通信による無線通信のリンクを確立する第１のリンク確立手段と、
前記第１のリンク確立手段により無線リンクが確立した状態で、前記他の通信装置から認証用データを受信する受信手段と、
前記受信手段により前記認証用データを受信した後、前記第１のリンク確立手段において確立した無線リンクを破棄するリンク破棄手段と、
前記リンク破棄手段によるリンク破棄後、前記他の通信装置から受信した認証用データを用いる認証プロセスを必要とする第２の暗号化通信による無線通信のリンクを確立するための処理に移行する第２のリンク確立手段とを備えた通信装置。
【手続補正３】
【補正対象書類名】明細書
【補正対象項目名】０００１
【補正方法】変更
【補正の内容】
【０００１】
【発明の属する技術分野】
本発明は、無線ＬＡＮ（ＩＥＥＥ８０２．１１）やＢｌｕｅｔｏｏｔｈ等の無線通信機能を有する端末を用いて、安全なＰｅｒｓｏｎａｌ  Ａｒｅａ  Ｎｅｔｗｏｒｋ（ＰＡＮ）を構築する場合などに用いられるネットワーク構築方法、通信システムおよび通信装置に関する。
【手続補正４】
【補正対象書類名】明細書
【補正対象項目名】００１３
【補正方法】変更
【補正の内容】
【００１３】
そこで、本発明は、８０２．１ｘ認証・暗号化方式などの認証プロセスを要する、比較的安全性の高い暗号化方式による無線通信を用いたＰＡＮ構築を、認証プロセスに対応したアカウントや証明書を事前に所有していないクライアント端末においても実現可能であるネットワーク構築方法、通信システムおよび通信装置を提供することを目的とする。
【手続補正５】
【補正対象書類名】明細書
【補正対象項目名】００１４
【補正方法】変更
【補正の内容】
【００１４】
【課題を解決するための手段】
上記目的を達成するために、本発明のネットワーク構築方法は、アクセスポイント装置とクライアント端末との間で、認証プロセスを必要としない第１の暗号化通信による無線通信のリンクを確立する第１のリンク確立ステップと、前記第１の暗号化通信による無線リンクが確立した状態で、前記アクセスポイント装置から前記クライアント端末に認証用データを送付する送付ステップと、前記送付ステップにおいて前記認証用データを送付した後、前記第１の暗号化通信による無線リンクを破棄するリンク破棄ステップと、前記リンク破棄ステップによるリンク破棄後、前記クライアント端末に送付された認証用データを用いる認証プロセスを必要とする第２の暗号化通信による無線通信のリンクを確立する第２のリンク確立ステップとを有する。
本発明の通信装置のネットワーク構築方法は、他の通信装置との間で、認証プロセスを必要としない第１の暗号化通信による無線通信のリンクを確立する第１のリンク確立ステップと、前記第１のリンク確立ステップによる無線リンクが確立した状態で、前記他の通信装置に認証用データを送付する送付ステップと、前記送付ステップにおいて前記認証用データを送付した後、前記第１のリンク確立ステップにおいて確立した無線リンクを破棄するリンク破棄ステップと、前記リンク破棄ステップによるリンク破棄後、前記他の通信装置に送付した認証用データを用いる認証プロセスを必要とする第２の暗号化通信による無線通信のリンクを確立するための処理に移行する第２のリンク確立ステップとを有する。
本発明の通信装置のネットワーク構築方法は、他の通信装置との間で、認証プロセスを必要としない第１の暗号化通信による無線通信のリンクを確立する第１のリンク確立ステップと、前記第１のリンク確立ステップによる無線リンクが確立した状態で、前記他の通信装置から認証用データを受信する受信ステップと、前記受信ステップにおいて前記認証用データを受信した後、前記第１のリンク確立ステップにおいて確立した無線リンクを破棄するリンク破棄ステップと、前記リンク破棄ステップによるリンク破棄後、前記他の通信装置から受信した認証用データを用いる認証プロセスを必要とする第２の暗号化通信による無線通信のリンクを確立するための処理に移行する第２のリンク確立ステップとを有する。
本発明の通信システムは、アクセスポイント装置とクライアント端末との間で、認証プロセスを必要としない第１の暗号化通信による無線通信のリンクを確立する第１のリンク確立手段と、前記第１の暗号化通信による無線リンクが確立した状態で、前記アクセスポイント装置から前記クライアント端末に認証用データを送付する送付手段と、前記送付手段により前記認証用データを送付した後、前記第１の暗号化通信による無線リンクを破棄するリンク破棄手段と、前記リンク破棄手段により前記リンクを破棄した後、前記クライアント端末に送付した認証用データを用いる認証プロセスを必要とする第２の暗号化通信による無線通信のリンクを確立する第２のリンク確立手段とを備える。
本発明の通信装置は、他の通信装置との間で、認証プロセスを必要としない第１の暗号化通信による無線通信のリンクを確立する第１のリンク確立手段と、前記第１のリンク確立手段により無線リンクが確立した状態で、前記他の通信装置に認証用データを送付する送付手段と、前記送付手段により前記認証用データを送付した後、前記第１のリンク確立手段において確立した無線リンクを破棄するリンク破棄手段と、前記リンク破棄手段によるリンク破棄後、前記他の通信装置に送付した認証用データを用いる認証プロセスを必要とする第２の暗号化通信による無線通信のリンクを確立するための処理に移行する第２のリンク確立手段とを備える。
本発明の通信装置は、他の通信装置との間で、認証プロセスを必要としない第１の暗号化通信による無線通信のリンクを確立する第１のリンク確立手段と、前記第１のリンク確立手段により無線リンクが確立した状態で、前記他の通信装置から認証用データを受信する受信手段と、前記受信手段により前記認証用データを受信した後、前記第１のリンク確立手段において確立した無線リンクを破棄するリンク破棄手段と、前記リンク破棄手段によるリンク破棄後、前記他の通信装置から受信した認証用データを用いる認証プロセスを必要とする第２の暗号化通信による無線通信のリンクを確立するための処理に移行する第２のリンク確立手段とを備える。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
【発明の実施の形態】
本発明のネットワーク構築方法、通信システムおよび通信装置の実施の形態について図面を参照しながら説明する。